(57)【要約】【課題】ハウジング内への水の侵入を防ぎつつ、部品数を抑えて小型化する。【解決手段】コネクタ１は、電線２が導出された電線導出面１５を有するハウジング１０と、前記ハウジング１０の外側に配されたシールド部材２０と、前記ハウジング１０と前記シールド部材２０の間に挟持されてこれらに密着する第一止水部材３０と、前記電線導出面１５から導出された前記電線２と前記シールド部材２０との間に挟持されてこれらに密着する第二止水部材４０と、を備え、前記シールド部材２０は、前記第二止水部材４０を前記電線導出面１５との間に保持する止水保持部２２を有する。【選択図】図１
2019125470.tif 000002
【特許請求の範囲】
【請求項１】
電線が導出された電線導出面を有するハウジングと、
前記ハウジングの外側に配されたシールド部材と、
前記ハウジングと前記シールド部材の間に挟持されてこれらに密着する第一止水部材と、
前記電線導出面から導出された前記電線と前記シールド部材との間に挟持されてこれらに密着する第二止水部材と、を備え、
前記シールド部材は、前記第二止水部材を前記電線導出面との間に保持する止水保持部を有するコネクタ。
【請求項２】
前記電線導出面からは複数の電線が導出され、
前記第二止水部材は各々に前記複数の電線のうちの１つが挿通された複数の貫通孔を備え、
前記止水保持部は、前記複数の電線を一括包囲して配された一括保持部と、各電線の間に配された電線間保持部とを備える請求項１に記載のコネクタ。
【請求項３】
前記電線と前記ハウジングとは、インサート成形により一体に形成されている請求項１または請求項２に記載のコネクタ。
【発明の詳細な説明】
【技術分野】
【０００１】
本明細書に開示された技術は、コネクタに関する。
【背景技術】
【０００２】
従来、ハウジングに防水構造を備えるコネクタとして、例えば特許文献１のものがある。この防水コネクタにおいては、ハウジングの内部に電線と端子との接続部分が埋設され、金属製のシールドシェルがハウジングを覆っている。
【０００３】
シールドシェルの前端部には、ケースに取り付け可能な嵌合部が設けられ、その外周面にはシールリングが装着されている。嵌合部がケース内に嵌合されると、シールリングが嵌合部の外周面とケースとに亘って密着する。
【０００４】
シールドシェル内の後端部には、前後に貫通する複数のゴム栓収容部が設けられている。各ゴム栓収容部には、電線の外周面とゴム栓収容部の内周面とに密着する個別ゴム栓と、個別ゴム栓の後方に嵌合して個別ゴム栓を抜止するゴム栓押さえと、が収容されている。すなわち、シールリングと個別ゴム栓によって、シールドシェル内に止水領域が構成されている。
【先行技術文献】
【特許文献】
【０００５】
【特許文献１】特開２０１７−１６２５９４号公報
【発明の概要】
【発明が解決しようとする課題】
【０００６】
しかしこの技術では、シールドシェルのゴム栓収容部にゴム栓押さえを収容する必要があるため、コネクタが大型化してしまう。
【課題を解決するための手段】
【０００７】
本明細書に開示された技術に係るコネクタは、電線が導出された電線導出面を有するハウジングと、前記ハウジングの外側に配されたシールド部材と、前記ハウジングと前記シールド部材の間に挟持されてこれらに密着する第一止水部材と、前記電線導出面から導出された前記電線と前記シールド部材との間に挟持されてこれらに密着する第二止水部材と、を備え、前記シールド部材は、前記第二止水部材を前記電線導出面との間に保持する止水保持部を有する。
【０００８】
この構成によれば、第一止水部材によりハウジングとシールド部材の間、および第二止水部材により電線とシールド部材の間が止水されることによって、ハウジングにおける電線導出面が止水領域内となるから、ハウジング内への水等の侵入を防ぐことができる。また、第二止水部材は電線導出面とシールド部材の止水保持部との間に保持されるから、第二止水部材を保持するための部材を別途設ける必要がなく、またその分コネクタを小型化することができる。
【０００９】
本明細書に開示された技術に係る実施態様として、次の構成が好ましい。
【００１０】
（１）前記電線導出面からは複数の電線が導出され、前記第二止水部材は各々に前記複数の電線のうちの１つが挿通された複数の貫通孔を備え、前記止水保持部は、前記複数の電線を一括包囲して配された一括保持部と、前記電線の間に配された電線間保持部とを備える。
【００１１】
第二止水部材が電線導出面と一括保持部との間に保持される構成では、第二止水部材が一括保持部に当接すると、複数の電線の間の部分が逃げるように変形して正規の位置から飛び出した状態となりやすい。上記の構成によれば、第二止水部材は電線導出面と電線間保持部との間にも保持されるから、第二止水部材を正規の位置に保持することができる。
【００１２】
（２）前記電線と前記ハウジングとは、インサート成形により一体に形成されている。
【００１３】
電線とハウジングとがインサート成形により一体に形成されている場合は、電線とハウジングとの隙間が水等の侵入を許容してしまう。上記の構成によれば、電線導出面が止水領域内に配されるから、電線とハウジングとの隙間から水等が侵入することを防ぐことができる。
【発明の効果】
【００１４】
本明細書に開示された技術に係るコネクタによれば、ハウジング内への水の侵入を防ぎつつ、部品数を抑えて小型化することができる。
【図面の簡単な説明】
【００１５】
【図１】実施形態にかかるコネクタの縦断面図
【図２】コネクタを後方から見た分解斜視図
【図３】コネクタの分解縦断面図
【発明を実施するための形態】
【００１６】
＜実施形態＞
実施形態を、図１から図３によって説明する。
【００１７】
本実施形態のコネクタ１は、図１（Ａ）に示すように、ハーネスを構成する２本の電線２Ｌ，２Ｒの一端に取り付けられ、インバータ等の図示しない機器に接続して使用される防水型のコネクタである。コネクタ１は、図１（Ａ）に示すように、ハウジング１０と、シールドブラケット２０（シールド部材の一例）と、第一止水部材３０と、第二止水部材４０と、を備えて構成されている。ハウジング１０の内部には電線２Ｌ，２Ｒがインサート成形により配設されており、電線２Ｌ，２Ｒの各々の一端には機器側に接続される端子金具３、３が取り付けられ、他端側はシールドブラケット２０が配された側から導出されている。以下の説明においては、電線２Ｌ，２Ｒを電線２ということがある。また、以下においては、電線２に端子金具３が接続された側を前方、ハウジング１０から電線２が導出された側を後方として説明する。
【００１８】
ハウジング１０は、図２に示すように、電線挿通部１１と、電線挿通部１１から側方に突出する一対の取付受部１６と、を備えている。一対の取付受部１６には、図３に示すように、それぞれナット４がインサート成形により後方に開口する形態で埋設されている。
【００１９】
電線挿通部１１は、取付受部１６よりも後方に突出する形状とされ、この突出した部分は電線導出部１２とされている。電線導出部１２は後方からみて長円形状をなしている。電線導出部１２の外周面１２Ａの一部は、図３に示すように、全周に亘って他よりも小径となるように凹ませた形状の嵌合溝１３となっている。
【００２０】
電線導出部１２には、図３に示すように、各々に電線２Ｌ，２Ｒのうちの１つが挿通可能な２つの電線導出孔１４Ｌ，１４Ｒが形成されている。各電線導出孔１４Ｌ，１４Ｒは円孔形状をなして電線挿通部１１内を前後に延び、電線導出部１２の後端となる電線導出面１５に開口している。電線導出面１５は、電線２の導出方向に延びる軸線に対して直交する平坦面となっている。電線２Ｌ，２Ｒは、図３に想像線で示すように、それぞれ電線導出孔１４Ｌ，１４Ｒに挿通されるとともに、電線導出面１５から後方へ導出されている。
【００２１】
シールドブラケット２０は金属材から形成され、ハウジング１０の電線導出部１２を覆ってこれをシールドしつつ止水する部材である。シールドブラケット２０は、図２に示すように、止水周壁部２１と、止水保持部２２と、取付部２３と、によって構成されている。
【００２２】
止水周壁部２１は、図２および図３に示すように、後方から見て長円形状をなす中空の筒体である。
【００２３】
止水保持部２２は、止水周壁部２１の後端に設けられている。止水保持部２２は、止水周壁部２１の後端から縮径方向に延出した枠形状の一括保持部２２Ａと、一括保持部２２Ａの左右方向における中心線に沿って設けられた電線間保持部２２Ｂと、を備えている。言い換えれば、一括保持部２２Ａおよび電線間保持部２２Ｂは、図２に示すように、２つの保持開口２４Ｌ，２４Ｒを形成している。
【００２４】
取付部２３は、図２に示すように、止水周壁部２１の前端から左右に延出する形状をなしている。各取付部２３には、取付孔２３Ａが前後に貫通して一つずつ設けられている。
【００２５】
第一止水部材３０は弾性変形可能な合成樹脂から形成され、図２に示すように、後方から見て嵌合溝１３に対応した長円の環状をなしている。第一止水部材３０の内周面には、図３に示すように、縮径方向に突出する２条の内周リブ３２が全周に亘って形成されている。第一止水部材３０の外周面には、拡径方向に突出する１条の第一外周リブ３１が全周に亘って形成されている。
【００２６】
第二止水部材４０は弾性変形可能な合成樹脂から形成され、図２に示すように、後方からみて電線導出面１５に対応した長円の板状をなしている。第二止水部材４０の前面および後面は平坦面とされている。第二止水部材４０には、前面から後面に亘って貫通する２つの円形状の貫通孔４３Ｌ，４３Ｒが形成されている。以下において、図２に示すように、２つの貫通孔４３Ｌ、４３Ｒを一括包囲する領域を一括包囲部４４Ａといい、貫通孔４３Ｌと貫通孔４３Ｒとの間の部分を電線間部４４Ｂという。第二止水部材４０の外周面には、１条の第二外周リブ４１が、全周に亘って拡径方向に突出して形成されている。
【００２７】
シールドブラケット２０は、図２に示すように、ボルト５が各取付孔２３Ａに挿通され、ナット４に螺合されることで、ハウジング１０に対して取り付けられている。この状態においては、図１（Ｂ）に示すように、止水周壁部２１は電線導出部１２の外周面１２Ａから隙間を隔てて外周面１２Ａおよび嵌合溝１３を覆っている。止水周壁部２１は、電線導出面１５よりも後方へ延びて配されており、その後端において止水保持部２２がハウジング１０の電線導出面１５に対して隙間を隔てて配されている。
【００２８】
この状態において、図１（Ｂ）に示すように、第一止水部材３０は、嵌合溝１３内に嵌め込まれて、ハウジング１０の電線導出部１２とシールドブラケット２０の止水周壁部２１との間に挟持されている。各内周リブ３２は嵌合溝１３の底面１３Ｂに全周に亘って密着し、かつ第一外周リブ３１は止水周壁部２１の内周面２１Ａに全周に亘って密着している。
【００２９】
電線導出面１５から導出された電線２Ｌ，２Ｒは、それぞれ第二止水部材４０の貫通孔４３Ｌ，４３Ｒに圧入されて後方に引き出され、さらにシールドブラケット２０の保持開口２４Ｌ，２４Ｒを通って、後方に延びている。これにより、第二止水部材４０は、電線２と止水周壁部２１との間に挟持されている。貫通孔４３Ｌ，４３Ｒは各々電線２Ｌ，２Ｒに全周に亘って密着し、かつ第二外周リブ４１は止水周壁部２１に全周に亘って密着している。
【００３０】
これにより、図１に示すように、電線導出面１５はシールドブラケット２０の止水周壁部２１により全周に亘って包囲されている。止水周壁部２１は、電線導出面１５よりも前側において第一止水部材３０によって電線導出部１２の外周面１２Ａとの隙間が液密に閉鎖され、電線導出面１５よりも後側において、第二止水部材４０によって電線２との隙間が液密に閉鎖されている。すなわち、電線導出面１５は外方の水等から隔離された止水領域内に収容されている。
【００３１】
また、第二止水部材４０は、止水保持部２２と電線導出面１５との間に配され、前面を電線導出面１５に隙間を介して対向させるとともに、後面を止水保持部２２に隙間を介して対向させた状態で配されている。第二止水部材４０の後面が止水保持部２２に前方から当接することにより、第二止水部材４０の後方への変位が規制されている。
【００３２】
より詳しくは、図１（Ｂ）に示すように、第二止水部材４０の後面のうち一括包囲部４４Ａに対して一括保持部２２Ａが対向するとともに、図１（Ａ）に示すように、電線間部４４Ｂに対しては電線間保持部２２Ｂが対向している。これにより、一括包囲部４４Ａが一括保持部２２Ａに押圧され、電線間部４４Ｂが一括保持部２２Ａからの押圧力から逃げるように変形しようとした場合においても、電線間部４４Ｂに対して電線間保持部２２Ｂが当接し、それ以上の変形を規制する。
【００３３】
以上の構成により、コネクタ１は、電線２が導出された電線導出面１５を有するハウジング１０と、前記ハウジング１０の外側に配されたシールド部材（シールドブラケット２０）と、前記ハウジング１０と前記シールド部材２０の間に挟持されてこれらに密着する第一止水部材３０と、前記電線導出面１５から導出された前記電線２と前記シールド部材２０との間に挟持されてこれらに密着する第二止水部材４０と、を備え、前記シールド部材２０は、前記第二止水部材４０を前記電線導出面１５との間に保持する止水保持部２２を有する。
【００３４】
この構成によれば、第一止水部材３０によりハウジング１０とシールド部材２０の間、および第二止水部材４０により電線２とシールド部材２０の間が止水されることによって、ハウジング１０における電線導出面１５が止水領域内となるから、ハウジング１０内への水等の侵入を防ぐことができる。また、第二止水部材４０は電線導出面１５とシールド部材２０の止水保持部２２との間に保持されるから、第二止水部材４０を保持するための部材を別途設ける必要がなく、またその分コネクタ１を小型化することができる。
【００３５】
また、前記電線導出面１５からは複数の電線２Ｌ，２Ｒが導出され、前記第二止水部材４０は各々に前記複数の電線２Ｌ，２Ｒのうちの１つが挿通された複数の貫通孔４３Ｌ、４３Ｒを備え、前記止水保持部２２は、前記複数の電線２Ｌ，２Ｒを一括包囲して配された一括保持部２２Ａと、前記複数の電線２Ｌ，２Ｒの間に配された電線間保持部２２Ｂを備える。
【００３６】
第二止水部材４０が電線導出面１５と一括保持部２２Ａとの間に保持される構成では、第二止水部材４０が一括保持部２２Ａに押圧されると、複数の電線２Ｌ，２Ｒの間の部分が押圧力から逃げるように変形して正規の位置から飛び出した状態となりやすい。上記の構成によれば、第二止水部材４０は電線導出面１５と電線間保持部２２Ｂとの間にも保持されるから、第二止水部材を正規の位置に保持することができる。
【００３７】
また、前記電線２と前記ハウジング１０とは、インサート成形により一体に形成されている。
【００３８】
電線２とハウジング１０とがインサート成形により一体に形成されている場合は、電線２とハウジング１０との隙間が水等を許容してしまう。上記の構成によれば電線導出面１５が止水領域内に配されるから、電線２とハウジング１０との隙間から水等が侵入することを防ぐことができる。
【００３９】
＜他の実施形態＞
本明細書に開示された技術は上記記述及び図面によって説明した実施形態に限定されるものではなく、例えば次のような形態で実施することが可能である。
【００４０】
（１）上記実施形態においては、電線導出面１５から複数の電線２Ｌ，２Ｒが導出された構成としたが、電線の数はこれに限らず、１本のみでもよいし、３本以上でもよい。
【００４１】
（２）上記実施形態においては、ハウジング１０の電線導出面１５と第二止水部材４０とが対向して配される構成としたが、電線導出面と第二止水部材とは必ずしも対向しなくてもよい。例えば、電線導出面と第二止水部材との間に他の部材が配される構成としてもよい。
【００４２】
（３）上記実施形態においては、第二止水部材４０と止水保持部２２とが対向して配される構成としたが、第二止水部材と止水保持部とは必ずしも対向しなくてもよい。例えば、止水保持部と第二止水部材との間に他の部材が配される構成としてもよい。
【００４３】
（４）上記実施形態においては、シールドブラケット２０はハウジング１０に固定される構成としたが、シールドブラケットの固定先はこれに限らず、例えばコネクタが取り付けられる機器の筐体に固定される構成としてもよい。
【００４４】
（５）上記実施形態においては、インサート成形により電線２をハウジング１０内に配設していたが、予め電線挿通部に貫通孔を設けておき、この貫通孔に電線を挿通させる構成としてもよい。
【００４５】
（６）上記実施形態においては、ハウジング１の電線導出部１２を後方に突出する形状としたが、電線導出部の形状はこれに限らず、例えば取付受部の後面と面一に電線導出面を設けてもよい。その場合、第一止水部材はシールドブラケットの取付部と取付受部との間に挟持されるようにしてもよい。
【符号の説明】
【００４６】
１：コネクタ
２（２Ｌ，２Ｒ）：電線
１０：ハウジング
１５：電線導出面
２０：シールドブラケット（シールド部材）
２２：止水保持部
２２Ａ：一括保持部
２２Ｂ：電線間保持部
３０：第一止水部材
４０：第二止水部材
４３Ｌ，４３Ｒ：貫通孔
【図１】
2019125470.tif 000003
【図２】
2019125470.tif 000004
【図３】
2019125470.tif 000005